(57)【特許請求の範囲】
【請求項１】
被験者の動作部位の動作または被験者が前記動作部位で取り扱う評価対象物を前記被験者に提示する装置であって、
前記動作部位を直視する前記被験者の視線を遮る遮蔽部と、前記動作部位または前記評価対象物の像を取得する像取得部と、前記像を前記被験者に提示する像提示部と、を備え、
前記像提示部で提示される前記像を前記被験者が目視しながら動作させる前記動作部位の像、または前記像を前記被験者が目視しながら前記動作部位で取り扱う前記評価対象物の像を、前記像取得部が更に取得して前記像提示部で提示することを特徴とする像提示装置。
【請求項２】
前記像取得部が前記動作部位の画像を動画像として撮像するカメラであり、前記像提示部が前記画像を表示するディスプレイ装置である請求項１に記載の像提示装置。
【請求項３】
前記像取得部が撮像した画像の見た目を変化させる画像処理を行う画像処理部を更に備え、前記像提示部は前記画像処理部で画像処理された前記画像を表示することを特徴とする請求項２に記載の像提示装置。
【請求項４】
前記画像処理が、グレースケール処理または白黒化処理を含む彩度低減処理、低コントラスト処理を含む輝度低減処理、または、ぼかし処理のいずれか一以上である請求項３に記載の像提示装置。
【請求項５】
前記像提示部で表示される前記画像を目視する前記被験者の視線方向に関する視線データを経時的に取得する視線取得部と、
前記画像と前記視線データとを対応づけて保存する蓄積部と、を更に備える請求項２から４のいずれか一項に記載の像提示装置。
【請求項６】
前記遮蔽部、前記像取得部の視野領域および前記像提示部が略直線上に配置されている請求項２から５のいずれか一項に記載の像提示装置。
【請求項７】
前記遮蔽部が半透明または不透明の容器であり、
前記遮蔽部には、前記動作部位を差し込む一対の差込口が前記直線の両側に設けられている請求項６に記載の像提示装置。
【請求項８】
前記像取得部は、前記被験者が前記動作部位を直視したときの視野角と、前記遮蔽部に臨んだ前記被験者が前記ディスプレイ装置に表示された前記画像における前記動作部位を目視したときの視野角と、が同等となるように前記画像を表示する請求項６または７に記載の像提示装置。
【請求項９】
被験者の動作部位の動作または被験者が前記動作部位で取り扱う評価対象物を前記被験者に提示する方法であって、
前記動作部位を直視する前記被験者の視線を遮った状態で前記動作部位または前記評価対象物の像を取得し、
取得した前記像を前記被験者に提示し、
提示される前記像を前記被験者が目視しながら動作させる前記動作部位の像、または前記像を前記被験者が目視しながら前記動作部位で取り扱う前記評価対象物の像を、更に取得して前記被験者に提示することを特徴とする像提示方法。
【請求項１０】
前記動作部位の像を画像として取得し、
提示される前記画像を目視する前記被験者の視線方向に関する視線データを経時的に取得し、前記画像と前記視線データとを対応づけて保存することを特徴とする請求項９に記載の像提示方法。
【請求項１１】
請求項１０に記載の像提示方法を用いた視線解析方法であって、
前記画像を目視する前記被験者の第一の前記視線データを取得し、
前記画像の見た目を変化させて前記被験者に提示し、変化後の前記画像を目視する前記被験者の第二の前記視線データを取得し、
前記第一の視線データと前記第二の視線データとを対比して表示することを特徴とする視線解析方法。
【発明の詳細な説明】
【技術分野】
【０００１】
本発明は、被験者に像を提示する像提示装置および像提示方法、ならびにこの像提示方法を用いた視線解析方法に関する。
【背景技術】
【０００２】
製品やサービスの基本性能がもつ価値を機能価値というのに対し、本質的ではない付加価値を情緒価値という。たとえば化粧品の場合は、化粧品自体の美容促進効果が機能価値にあたり、使い心地の良さから得られる効果感や、製品パッケージやブランドの高級感などが情緒価値にあたる。製品やサービスの購入意欲を喚起するためには、機能価値のみならず情緒価値を増大することが重要である。
【０００３】
評価対象物から受ける高級感・安物感、または好き・嫌いなどの情緒価値を定性的または定量的に評価するにあたっては、実際に購入するであろう対象被験者などによるアンケートが広く行われている。
【０００４】
特許文献１には、評価対象物のデザイン評価方法が記載されている。この方法は、評価対象物のデザインを表現した映像を画面に出力し、この映像を目視する被験者の脳波を測定して、デザインを評価するものである。この方法は、複数種類の感性（怒り、喜び、悲しみ等）ごとの脳波の分布状態を基準パターンとして予め測定しておき、評価対象物のデザインを目視した被験者から測定した脳波を基準パターンと比較することにより被験者の感性を評価するものである。
【先行技術文献】
【特許文献】
【０００５】
【特許文献１】特開２００１−２７３３９２号公報
【発明の概要】
【発明が解決しようとする課題】
【０００６】
評価対象物である製品の情緒価値には、製品の外観という視覚的な要素のみならず、肌で触れた場合の質感や、手に持ったり身につけたりした場合の重量感などの触覚的な要素も大きく寄与する。したがって、被験者は少なくとも視覚と触覚の両方の因子を考慮して製品の情緒価値を評価することが好ましい。しかしながら、特許文献１の方法は、自動車や衣服等の画像が表示された画面を目視したときの被験者の脳波を測定するものであって触覚を伴わない方法であるため、評価対象物の情緒価値を適切に評価することは難しい。
【０００７】
また、消費者モニターが評価対象物を実際に手にとって、また目視してその情緒価値をアンケートする方法の場合には、消費者モニターの顕在意識に基づく回答は得られるものの、潜在意識下でどのような判断が行われたのかを知ることはできない。このため、消費者モニターの回答を製品設計に効率的にフィードバックすることが難しい。たとえば、製品に対して無意識に着目している箇所がどこであるか、またどのような観察プロセスを経て製品の情緒価値の評価に到ったか、などの情報を知ることが製品設計では有効である。しかしながら従来のアンケート方法では、アンケート実施者（分析者）は、これらの情報を十分に抽出することが難しい。
【０００８】
なお、評価対象物の情緒価値を評価する場合について上述したが、それに加え、手指や足等を用いた各種動作の感覚を評価する場合にも同様の課題が発生する。すなわち、有体物である評価対象物を被験者が目視観察する場合のみならず、被験者が所与の動作を手や足等の体の部分（動作部位）で行う場合の動作感覚の良否を被験者自身が評価する場合にも、その動作部位への目視（視覚）と肌の触覚に基づいてこれを行うことが好ましい。そして、動作感覚の良否を判断する被験者の潜在意識を分析者が把握することが有効である点も同様である。
【０００９】
本発明は上述のような課題に鑑みてなされたものであり、視覚と触覚を用いて被験者が製品の情緒価値や動作感覚を評価する様子を分析者が客観的に把握することが可能な方法および装置を提供するものである。
【課題を解決するための手段】
【００１０】
本発明の像提示装置は、被験者の動作部位の動作または被験者が前記動作部位で取り扱う評価対象物を前記被験者に提示する装置であって、前記動作部位を直視する前記被験者の視線を遮る遮蔽部と、前記動作部位または前記評価対象物の像を取得する像取得部と、前記像を前記被験者に提示する像提示部と、を備え、前記像提示部で提示される前記像を前記被験者が目視しながら動作させる前記動作部位の像、または前記像を前記被験者が目視しながら前記動作部位で取り扱う前記評価対象物の像を、前記像取得部が更に取得して前記像提示部で提示することを特徴とする。
【００１１】
また、本発明の像提示方法は、被験者の動作部位の動作または被験者が前記動作部位で取り扱う評価対象物を前記被験者に提示する方法であって、前記動作部位を直視する前記被験者の視線を遮った状態で前記動作部位または前記評価対象物の像を取得し、取得した前記像を前記被験者に提示し、提示される前記像を前記被験者が目視しながら動作させる前記動作部位の像、または前記像を前記被験者が目視しながら前記動作部位で取り扱う前記評価対象物の像を、更に取得して前記被験者に提示することを特徴とする。
【００１２】
上記発明において、像とは光学系を経た対象物の形象を意味し、静止画像および動画像のほか、レンズまたは鏡を用いて光学的に取得した実像および虚像を含む。すなわち、像を取得するとは、対象物を被写体とする静止画像または動画像を撮像することのほか、レンズや鏡を用いて対象物の実像または虚像を集光することを含む。そして、被験者に像を提示するとは、被験者が目視可能な状態で像を可視化することを意味する。具体的には、静止画像または動画像の場合はこれを表示すること、実像または虚像の場合はこれを結像させることを含む。
【００１３】
上記発明によれば、動作部位を直視する被験者の視線が遮られた状態で、その動作部位の動作または評価対象物が像として当該被験者に提示される。被験者は、これらの像を通じて自らの動作部位を間接的に目視しながら、当該動作部位を動作させたり評価対象物を取り扱ったりすることができる。この動作を通じて、被験者は触覚と視覚の両方を駆使して動作感覚や評価対象物の情緒価値を評価することができる。そして、被験者の当該動作が像提示部で像として表されるため、分析者は、この像を記録したり、または被験者とともにこの像を目視したりすることにより、評価に到るまでの被験者の動作や視線の運び方を客観的に分析することが可能である。
【発明の効果】
【００１４】
本発明によれば、視覚と触覚を用いて被験者が製品の情緒価値や動作感覚を評価する様子を分析者が客観的に把握することが可能な方法および装置が提供される。
【図面の簡単な説明】
【００１５】
【図１】本発明の第一実施形態にかかる像提示装置の構成図である。
【図２】（ａ）は遮蔽部の正面図であり、（ｂ）は遮蔽部の背面図である。
【図３】（ａ）は評価対象物の模式図であり、（ｂ）は像提示部の表示画面の模式図である。
【図４】本発明の第二実施形態にかかる像提示装置の構成図である。
【図５】視線データを画像と重畳して表示した場合の像提示部の表示画面を示す模式図である。
【図６】（ａ）は遮蔽部の第一変形例を示す斜視図であり、（ｂ）は遮蔽部の第二変形例を示す斜視図である。
【図７】実施例１の回答結果を示す表である。
【図８】評価対象物のフック近傍を被験者が注視している状態の視線データを示す図である。
【図９】評価対象物の側面近傍を被験者が注視している状態の視線データを示す図である。
【図１０】評価対象物のロゴを被験者が注視している状態の視線データを示す図である。
【発明を実施するための形態】
【００１６】
以下、本発明の実施形態を具体的に説明する。なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
また、本発明の像提示方法および視線解析方法は、複数の工程を順番に記載して説明する場合があるが、その記載の順番は複数の工程を実行する順番やタイミングを必ずしも限定するものではない。このため、本発明の方法を実施するときには、複数の工程の順番は内容的に支障のない範囲で変更することができ、また複数の工程の実行タイミングの一部または全部が互いに重複していてもよい。
【００１７】
＜第一実施形態＞
図１は、本発明の第一実施形態にかかる像提示装置１００の構成図である。図２（ａ）は遮蔽部１０の正面図であり、同図（ｂ）は遮蔽部１０の背面図である。図３（ａ）は評価対象物ＰＤの模式図であり、同図（ｂ）は像提示部３０の表示画面の模式図である。
【００１８】
はじめに、本実施形態の概要について説明する。
像提示装置１００は、被験者Ｓの動作部位である手Ｈの動作または被験者Ｓが動作部位（手Ｈ）で取り扱う評価対象物ＰＤを被験者Ｓに提示する装置である。像提示装置１００は、遮蔽部１０、像取得部２０および像提示部３０を備えている。
遮蔽部１０は、動作部位（手Ｈ）を直視する被験者Ｓの視線を遮る手段である。像取得部２０は、被験者Ｓの動作部位（手Ｈ）または評価対象物ＰＤの像を取得する手段である。像提示部３０は、像取得部２０が取得した像を被験者Ｓに提示する手段である。
被験者Ｓは、像提示部３０で提示される像を目視しながら、動作部位（手Ｈ）を動作させ、また評価対象物ＰＤを取り扱う。そして、本実施形態の像提示装置１００は、かかる動作部位（手Ｈ）または評価対象物ＰＤの像を像取得部２０が更に取得して像提示部３０で提示する。
【００１９】
次に、本実施形態について詳細に説明する。
像提示装置１００は、評価対象物ＰＤの情緒価値の評価や、動作部位の動作感覚の評価に用いられる評価装置である。動作部位は、手Ｈのほか、足や腹部などを挙げることができる。以下、動作部位が手Ｈである場合について説明する。
【００２０】
被験者Ｓ（図１では目と手Ｈのみを図示）は遮蔽部１０に対向して立位または座位の姿勢をとる。遮蔽部１０に臨んだ被験者Ｓの正面には像提示部３０が配置されている。像提示部３０では被験者Ｓの手元部Ｆが像として提示される。手元部Ｆは、被験者Ｓの両手および評価対象物ＰＤを含む、評価対象物ＰＤの近傍領域である。
【００２１】
被験者Ｓは、像提示部３０で提示される像を目視しながら手Ｈや評価対象物ＰＤを動かす。この評価対象物ＰＤの動きが更に像取得部２０で取得されて像提示部３０でリアルタイムに提示される。像提示部３０を目視する被験者Ｓは、あたかも自分の手元部Ｆを直視しているかのように評価対象物ＰＤを視覚的かつ触覚的に捉えて情緒価値を評価することができる。また、有体物である評価対象物ＰＤのみならず、手Ｈの動作感覚の評価の場合も同様に、像提示部３０で被験者Ｓの手元部Ｆの像が提示される。この像を被験者Ｓ自身が目視しながら手Ｈを動かすことにより、手元部Ｆを直視しながら手Ｈを動作させている感覚の下で、手指が触れる触覚を感じながら被験者Ｓは動作を行うことができる。
【００２２】
そして、視覚的かつ触覚的に評価対象物ＰＤの情緒価値や手Ｈの動作感覚を評価している間の被験者Ｓの手元部Ｆの動きが像提示部３０で像として常に提示される。被験者Ｓによる評価結果を解析する分析者は、この像を目視したり、画像として記録したり、また後述するように被験者Ｓの視線方向に関する視線データを取得したりすることで、被験者Ｓの動作や視線の運び方を客観的に分析することができる。
【００２３】
評価対象物ＰＤとしては、化粧品の容器等の日用品や装飾品、衣服、靴、その他の工業製品が挙げられる。このほか、食品や小動物などの動植物でもよい。評価対象物ＰＤは、被験者Ｓが手にとってその質感を感じることができる程度の寸法である。特に、評価対象物ＰＤとして、ファンデーションのコンパクトケースなどの化粧品の容器を好適に挙げることができる。化粧品の容器は消費者個々の趣味趣向の影響を強く受け、また他人の前でも使用される製品であるため見た目の高級感等の情緒価値が高い製品である。
【００２４】
動作感覚を評価する手の動作としては、有体物を用いて行う手の動作でもよく、または手指のみで行う動作でもよい。一例としては、ユニバーサルデザイン（ＵＤ）が施された製品の操作や使用、容器等のその他の製品の開閉または駆動操作、シャンプー等の液体を手にとって引き延ばしたり泡立てたりする動作、モーションセンサーで手指の動きを画像認識させて行うデバイスへの入力操作、などが挙げられる。
【００２５】
以下、本実施形態では、化粧品の容器である評価対象物ＰＤの情緒価値を視覚的および触覚的に評価する場合を例示して説明する。
【００２６】
遮蔽部１０は、被験者Ｓが手Ｈで把持している評価対象物ＰＤの少なくとも一部を被験者Ｓの目から掩蔽する手段である。図２（ａ）、（ｂ）に示すように、本実施形態の遮蔽部１０は、半透明または不透明の容器である。遮蔽部１０には、被験者Ｓの動作部位（手Ｈ）を差し込む一対の差込口１２が、遮蔽部１０の奥行方向に延びる中心線Ｃ（直線）の両側に設けられている。
【００２７】
評価対象物ＰＤは、遮蔽部１０を通じて被験者Ｓが完全に視認不可能であってもよく、または評価対象物ＰＤのシルエットが確認可能であってもよい。すなわち、遮蔽部１０は、被験者Ｓが手元の評価対象物ＰＤを直視して観察することが十分に妨げられる程度に評価対象物ＰＤを被験者Ｓから掩蔽する。被験者Ｓと手Ｈとの間に位置する天板１１は、半透明または不透明の材料からなる無孔または多孔の板材である。
【００２８】
図２に示す本実施形態の遮蔽部１０は、全体が半透明材料からなる略直方体状の箱形をなしている。ただし、本実施形態の変形例として後述するように、遮蔽部１０の形状は箱形に限られず、ドーム状などの湾曲面状でもよい。
【００２９】
本実施形態の遮蔽部１０は、天板１１、前面板１３、一対の対向する側板１４および底板１５を備えている。遮蔽部１０の背面側（図２（ｂ）の手前側）には開口１６が設けられている。評価対象物ＰＤは、開口１６を通じて遮蔽部１０の内部に出し入れ可能である。
【００３０】
差込口１２は、一対の側板１４にそれぞれ形成されている貫通孔または切欠である。差込口１２の形状は特に限定されない。本実施形態の差込口１２は矩形孔である。差込口１２には、迷光防止用の柔軟な膜状の閉止片１７が設けられている。
【００３１】
本実施形態の遮蔽部１０は半透明材料からなるため、外光が拡散して遮蔽部１０の内部に入光する。このため、遮蔽部１０の内部に光源を配設することなく、遮蔽部１０の内部に室内光または自然光を導入することができる。一方、遮蔽部１０を不透明材料で作成する場合には、遮蔽部１０の内部に光源（図示せず）を配置するとよい。これにより、像取得部２０は自然な明るさで手元部Ｆの像を取得することができる。
【００３２】
像取得部２０は、被験者Ｓの評価対象物ＰＤの少なくとも一部を含む手元部Ｆの像を取得する。像取得部２０としては、デジタル（スチル）カメラ、デジタルもしくはアナログのビデオカメラ、一枚もしくは複数枚の鏡、または光ファイバー等の導光体とレンズとを含む集光装置、が例示される。上記に例示される像取得部２０が取得する手元部Ｆの像は、それぞれ手元部Ｆの静止画像、動画像、虚像、または実像である。像取得部２０としてビデオカメラを用いる場合、動画像のフレーム数を６０ＦＰＳ以上とすることが好ましい。
【００３３】
像提示部３０は、これらの像を任意で加工して被験者Ｓに提示する手段である。像取得部２０がデジタルスチルカメラまたはデジタルビデオカメラである場合、像提示部３０としてディスプレイ装置（画像表示装置）を用いることができる。像取得部２０が鏡である場合には、像提示部３０として、像取得部２０（鏡）と対向配置された合わせ鏡を用いることができる。また、像取得部２０が集光装置である場合には、像提示部３０としてスクリーン装置を用いることができる。
【００３４】
以下、像取得部２０がデジタルビデオカメラ、より具体的には、ネットワークインターフェイスを有するリアルタイムカメラであるＷｅｂカメラを用いて、被験者Ｓの手元部Ｆの動画像を取得する場合を例示して本実施形態を説明する。
【００３５】
すなわち、本実施形態の像取得部２０は、被験者Ｓの動作部位（手Ｈ）を含む手元部Ｆの画像ＩＭを動画像として撮像するカメラ（Ｗｅｂカメラ）である。そして像提示部３０は、画像ＩＭを動画表示するディスプレイ装置である。本実施形態の像提示装置１００は、像取得部２０が撮像した動画像を像提示部３０で表示出力するための制御を行う表示制御部４０を備えている。本実施形態の像提示装置１００において、Ｗｅｂカメラは遮蔽部１０の内部に配置されている。Ｗｅｂカメラの視野範囲は、被験者Ｓが手Ｈで把持した評価対象物ＰＤの全体を包含する位置および大きさに設定されている。
【００３６】
像取得部２０と表示制御部４０、および表示制御部４０と像提示部３０は配線７０で互いに接続されている。像取得部２０は、所定のフレームレートで被験者Ｓの手元部Ｆの多数の静止画像を撮像して動画像（画像ＩＭ）を取得する。フレームレートは、たとえば６０ｆｐｓ（Frames Per Second）である。
【００３７】
本実施形態の像提示装置１００は、像取得部２０が撮像した画像ＩＭの見た目を変化させる画像処理を行う画像処理部４４を更に備えている。像提示部３０は、画像処理部４４で画像処理された画像ＩＭ１を表示する。
【００３８】
具体的な画像処理としては、グレースケール処理または白黒化処理を含む彩度低減処理、低コントラスト処理を含む輝度低減処理、または、ぼかし処理のいずれか一以上が挙げられる。動画像を構成する上記フレームレートの静止画像のそれぞれに対して画像処理を施すことにより、当該動画像全体の彩度低減・輝度低減・ぼかし等の処理が行われて画像ＩＭ１が生成される。
【００３９】
像取得部２０による動画像の撮影処理時間、画像処理部４４による画像処理時間、表示制御部４０および像提示部３０による表示処理時間、および配線７０を通じた画像ＩＭ、ＩＭ１の伝送時間の合計は、被験者Ｓが容易に知覚可能な遅れ時間（たとえば１／６０秒）以下である。被験者Ｓは、像提示部３０を目視しながら、手Ｈで評価対象物ＰＤを回転させたり、被験者Ｓに対して評価対象物ＰＤを接近または離間移動させたりする動作（以下、ハンドリング）を行って、評価対象物ＰＤを視覚的に確認する。このとき、かかる手元部Ｆの動作が像提示部３０で表示されるまでの遅延時間は上記のように僅かであるため、当該動作が実質的にリアルタイムで像提示部３０に表示される。よって、被験者Ｓは、評価対象物ＰＤをハンドリングして触覚的にその質量や表面の質感を知得しながら、かつ自身の手元部Ｆを直視しているかのようにリアルタイムで、像提示部３０を通じて評価対象物ＰＤの状態を視覚的に確認することができる。すなわち、本実施形態によれば、評価対象物ＰＤの目視と触診が可能である。
【００４０】
さらに本実施形態によれば、像取得部２０で取得した画像ＩＭに対して画像処理部４４で所定の画像処理を施してなる画像ＩＭ１が像提示部３０で表示出力される。
【００４１】
ここで、彩度低減処理を施した画像ＩＭ１を表示することにより、白内障または色覚障害の人の見え方を摸擬することができる。このため、正常色覚をもつ被験者Ｓであっても、色覚障害者等の見え方に基づいて評価対象物ＰＤを評価することができる。すなわち、本方法によれば、色覚障害者等の見え方を考慮して、評価対象物ＰＤのユニバーサルデザイン性を評価したり、または色覚障害者等にも容易に視認できる手の動作方法を提案したりすることが可能である。
また、本方法によれば、評価対象物ＰＤから色因子を捨象したものを目視することができる。このため、評価対象物ＰＤの色に影響されることなく、その模様や形状の情報に基づいて評価対象物ＰＤの高級感や好みなどを評価することができる。同様に、輝度低減処理を施した画像ＩＭ１を表示することで、評価対象物ＰＤから表面の光沢を捨象して評価をすることができる。また、ぼかし処理を施した画像ＩＭ１を表示することで、評価対象物ＰＤから表面の質感や精細な模様を捨象して、その評価をすることができる。
【００４２】
このほか、フルカラー画像の画像ＩＭにおける赤色、緑色または青色のいずれか１色の輝度を低減する画像処理を行ってもよい。これにより、赤色の光を感じるＬ錐体が弱いＰ型色覚、緑色の光を感じるＭ錐体が弱いＤ型色覚、青色の光を感じるＳ錐体が弱いＴ型色覚の見え方をそれぞれ摸擬することができる。
【００４３】
図３（ａ）は、評価対象物ＰＤの模式図である。この評価対象物ＰＤは、天蓋部Ｔ、基台部Ｂおよび容器部ＣＡを備えている。天蓋部Ｔおよび基台部Ｂには色彩および微細な模様が施されている。図３（ｂ）は、像提示部３０の表示画面の模式図である。像提示部３０には、被験者Ｓの手Ｈ（破線で図示）、および手Ｈで把持されている評価対象物ＰＤが、画像ＩＭ１として表示されている。説明のため、手Ｈを評価対象物ＰＤから離間して図示してある。
【００４４】
本実施形態では、像取得部２０が手元部Ｆのフルカラーの動画像を画像ＩＭとして撮像する。画像処理部４４は、画像ＩＭに彩度低減処理およびぼかし処理を施して画像ＩＭ１に変換する。ぼかし処理は、たとえば隣接する複数画素の混合処理によって行うことができる。評価対象物ＰＤの外郭線が識別可能であって、かつ評価対象物ＰＤの表面の微細な模様が視認困難な程度にぼやけるよう、混合する画素数を選定するとよい。
これらの画像処理を施すことにより、図３（ｂ）に示す画像ＩＭ１では、天蓋部Ｔおよび基台部Ｂの色彩が無彩色（グレースケール）となり、また微細な模様がぼかされて無地と認識される。これにより、色因子および模様因子を捨象した状態の評価対象物ＰＤを被験者Ｓは像提示部３０で目視することができる。このため、評価対象物ＰＤの形状因子と触感とに基づいて評価対象物ＰＤの情緒価値が被験者Ｓに評価されることとなる。
【００４５】
ここで、像提示部３０は、被験者Ｓが動作部位（手Ｈ）を直視したときの手Ｈまたは評価対象物ＰＤの視野角（以下、直接視野角）と、ディスプレイ装置（像提示部３０）に表示された画像ＩＭ１における動作部位（手Ｈ）または評価対象物ＰＤの視野角（以下、間接視野角）とが同等となるように画像ＩＭ１を表示する。ここでいう間接視野角は、遮蔽部１０に臨んだ被験者Ｓが像提示部３０を目視したときの視野角である。
【００４６】
具体的には、像取得部２０は、１未満の撮影倍率で評価対象物ＰＤを撮影する。そして、表示制御部４０は、像取得部２０から手元部Ｆまでの焦点距離ＦＬ、被験者Ｓの目から手元部Ｆまでの距離Ｄ１、および被験者Ｓの目から像提示部３０までの距離Ｄ２に基づいて、像提示部３０で表示される評価対象物ＰＤの間接視野角が直接視野角と同等になるように画像ＩＭ１の表示倍率を調整する。これにより、被験者Ｓがディスプレイ装置（像提示部３０）を目視したときに、手元部Ｆを直視している場合と同等のサイズで手Ｈや評価対象物ＰＤを視認することができる。被験者Ｓの目から手元部Ｆまでの距離Ｄ１を像取得部２０（Ｗｅｂカメラ）の焦点距離ＦＬのＮ倍とすると、Ｗｅｂカメラは１／Ｎ倍の撮影倍率で画像ＩＭを撮像する。本実施形態では、Ｗｅｂカメラが遮蔽部１０の内部に配置されており、Ｗｅｂカメラから手元部Ｆまでの距離（＝焦点距離ＦＬ）は被験者Ｓの目から手元部Ｆまでの距離Ｄ１よりも短い。言い換えると、Ｎは１よりも大きく、したがって撮影倍率（１／Ｎ）は１未満に設定されている。このため、被験者Ｓが評価対象物ＰＤをＷｅｂカメラに対して近接させた場合に、像提示部３０で表示される評価対象物ＰＤの画像ＩＭ１が急拡大することがなく、被験者Ｓが手元部Ｆを直視した場合の見た目の寸法変化に相当する僅かな倍率で画像ＩＭ１は拡大される。被験者Ｓが評価対象物ＰＤをＷｅｂカメラに対して離間させた場合も同様である。このため被験者Ｓは、あたかも手元部Ｆを直視しているかのような自然な感覚で、像提示部３０に表示される画像ＩＭ１を目視しながら評価対象物ＰＤをハンドリングすることができる。
【００４７】
像提示装置１００は、画像ＩＭの画像データを保存する蓄積部５０を更に備えている。蓄積部５０はデータ記憶装置である。表示制御部４０は、像取得部２０が取得した画像ＩＭの画像データと、画像処理部４４による画像処理後の画像ＩＭ１の画像データと、を蓄積部５０に記録する。
【００４８】
以上、本実施形態の像提示装置１００によれば、被験者Ｓの動作部位（手Ｈ）の動作または被験者Ｓが動作部位（手Ｈ）で取り扱う評価対象物ＰＤを被験者Ｓに提示する像提示方法が実現される。
この像提示方法では、動作部位（手Ｈ）を直視する被験者Ｓの視線を遮った状態で、この手Ｈまたは評価対象物ＰＤ（手元部Ｆ）の像（画像ＩＭ）を取得し、取得した画像ＩＭを任意で画像ＩＭ１へと画像処理して被験者Ｓに提示する。被験者Ｓは、提示される像を目視しながら動作部位（手Ｈ）を動作させるか、または動作部位（手Ｈ）で評価対象物ＰＤを取り扱う。この像提示方法では、これらの画像ＩＭを更に取得して被験者Ｓに提示する。
【００４９】
これにより、被験者Ｓの手元部Ｆの動作が画像ＩＭ１として像提示部３０に表示される。このため、被験者Ｓは手元部Ｆを直視しながら手Ｈを動作させている感覚の下で、視覚的および触覚的に評価対象物ＰＤを評価することができる。そして分析者は、この画像ＩＭ１を目視または記録することにより、評価に到るまでの被験者Ｓの動作を客観的に把握することができる。
【００５０】
なお本実施形態については種々の変形を許容する。
本実施形態では、フルカラー画像として取得した画像ＩＭを画像処理部４４で画像処理する場合を例示的に説明したが、本発明はこれに限られない。像取得部２０で画像ＩＭを取得する段階で、手元部Ｆの色情報の一部を加工または削除してもよい。具体的には、像取得部２０としてモノクロカメラを用いてもよい。また、像取得部２０としてフルカラーのＷｅｂカメラを用いる場合において、色弱模擬フィルタなどの光学フィルタを介して評価対象物ＰＤを撮像してもよい。色弱模擬フィルタを通じて評価対象物ＰＤを撮像することにより、Ｐ型色覚やＤ型色覚等の見え方を摸擬した画像ＩＭを像取得部２０で取得することができる。
【００５１】
また、上記実施形態では像取得部２０で手元部Ｆの画像ＩＭを取得する場合を例示した。本発明はこれに限られず、上記のように像取得部２０および像提示部３０として合わせ鏡を用いてもよい。具体的には、第一の鏡である像取得部２０で手元部Ｆの虚像（鏡像）を取得し、第二の鏡である像提示部３０でこの虚像を実像に加工（反転）して表示するとよい。このとき、手元部Ｆから像提示部３０（第二の鏡）に到る光路中に光学フィルタを配置してもよい。かかる光学フィルタは、上記の色弱模擬フィルタのほか、グレースケールフィルタを用いてもよい。グレースケールフィルタは、３８０乃至４４０ｎｍの波長範囲（青色）、５００乃至５５０ｎｍの波長範囲（緑色）および５６０乃至６２０ｎｍの波長範囲（赤色）にそれぞれ吸収極大を持つ光学フィルタである。このように、手元部Ｆの像を画像ＩＭとして取得せずとも、評価対象物ＰＤの色因子を捨象した像に加工して被験者Ｓに提示することができる。
【００５２】
＜第二実施形態＞
図４は、本発明の第二実施形態にかかる像提示装置１００の構成図である。本実施形態の像提示装置１００は、視線取得部６０を備えている点を除き第一実施形態と同一の構成を備える。第一実施形態と重複する説明は省略する。
【００５３】
視線取得部６０は、像提示部３０で表示される画像ＩＭ１を目視する被験者Ｓの視線方向ＬＯＶに関する視線データＶＰを経時的に取得する手段である。本実施形態の蓄積部５０は、画像ＩＭ１と視線データＶＰとを対応づけて保存する。
【００５４】
すなわち、本実施形態では、動作部位（手Ｈ）を含む手元部Ｆの像を画像ＩＭとして取得し、画像ＩＭを任意で画像ＩＭ１に画像処理して被験者Ｓに提示する。そして、提示される画像ＩＭ１を目視する被験者Ｓの視線方向ＬＯＶに関する視線データＶＰを経時的に取得し、画像ＩＭ１と視線データＶＰとを対応づけて保存する。
【００５５】
図５は、視線データＶＰを画像ＩＭ１と重畳して表示した場合の像提示部３０の表示画面を示す模式図である。視線データＶＰは、被験者Ｓの視線方向ＬＯＶの集中度合いを示す等高線データである。視線データＶＰは、視線方向ＬＯＶが集中している領域（図５では評価対象物ＰＤのコーナー部）が濃色となるように表示されている。
【００５６】
視線取得部６０は、眼球画像を取得する撮像手段、いわゆるアイカメラである。視線取得部６０は、被験者Ｓの眼球を画像認識することにより、被験者Ｓの視線方向ＬＯＶを示す視線データＶＰを、時刻情報と対応づけて取得する。同期部４２は、視線取得部６０が取得した視線データＶＰと、画像処理部４４で画像処理された画像ＩＭ１とを、時刻情報を用いて同期させる。より具体的には、同期部４２は、視線データＶＰと画像ＩＭ１の時刻および座標系を互いに一致させる。同期した視線データＶＰおよび画像ＩＭ１は蓄積部５０に記録される。
【００５７】
視線取得部６０（アイカメラ）により被験者Ｓの視線を追跡し、これを画像ＩＭ１の画像データと対応づけて保存しておくことにより、評価対象物ＰＤにおいて被験者Ｓが注視した部位を客観的に事後分析することができる。
【００５８】
また、本実施形態のように手元部Ｆの像を取得し、かつ、その像を目視する被験者Ｓの視線データＶＰを取得することにより、被験者Ｓが手Ｈや評価対象物ＰＤを目に近づけようとする動作をも記録として残すことができる。アイカメラは被験者Ｓの視線方向のみをデータ取得するものであって、被験者Ｓが評価対象物ＰＤを引き寄せて凝視しようとしているか、または評価対象物ＰＤを遠ざけて全体観察しているか、を把握することはできない。これに対し本実施形態によれば、手元部Ｆの像を通じて評価対象物ＰＤの接近または離間の動作を記録することができるため、これと視線データＶＰとを合わせることで評価対象物ＰＤのハンドリング動作および被験者Ｓの視線移動の全容を記録することができる。
【００５９】
図４に示すように、遮蔽部１０、像取得部２０の視野領域、および像提示部３０は、同図の左右方向に延在する略直線上に配置されている。本実施形態において遮蔽部１０、像取得部２０の視野領域および像提示部３０が略直線上に配置されているとは、一の仮想的な直線がこれらの中心またはその他の一部を通過することをいう。本実施形態の場合、具体的には、遮蔽部１０の中心線Ｃ（図２を参照）が像提示部３０の略中央を向くように遮蔽部１０と像提示部３０は配置されている。これにより、被験者Ｓが評価対象物ＰＤを体の正面でハンドリングし、これを像取得部２０で撮像する場合に、被験者Ｓが像提示部３０に正対する。さらに、視線取得部６０（アイカメラ）の視野領域も、この直線上に配置されている。言い換えると、遮蔽部１０、像取得部２０の視野領域、像提示部３０および視線取得部６０の視野領域および被験者Ｓは、共通の鉛直面内に位置している。これにより、像提示部３０を正視する被験者Ｓの左右の眼球を視線取得部６０で正面から捕捉することができる。
【００６０】
本実施形態では、被験者Ｓの手元部Ｆの画像ＩＭを画像処理部４４で種々に画像処理し、その差異が視線方向ＬＯＶとして如何に現れるかを知ることができる。これにより、被験者Ｓの視線の解析方法が提供される。
【００６１】
すなわち、本実施形態によれば、上記の像提示方法を用いた視線解析方法が提供される。この視線解析方法は、画像ＩＭ１を目視する被験者Ｓの第一の視線データをまず取得する。さらに、画像ＩＭ１の見た目を変化させて画像ＩＭ２とし、これを被験者Ｓに提示する。そして、変化後の画像ＩＭ２を目視する被験者Ｓの第二の視線データを取得する。最後に、第一の視線データと第二の視線データとを対比して表示する。
【００６２】
本実施形態の視線解析方法によれば、評価対象物ＰＤの彩度や輝度を変化させた場合の被験者Ｓの視線方向ＬＯＶ（注視点）の変化を定量化することができる。すなわち、彩度低減や輝度低減の画像処理の強弱を複数通りに変化させて画像ＩＭ１および画像ＩＭ２を生成し、それぞれを被験者Ｓが目視した場合の第一の視線データと第二の視線データとを取得して対比する。これにより、評価対象物ＰＤの彩度や光沢の変化量と、被験者Ｓの視線方向ＬＯＶの移動量との定量的な傾向を把握することができる。
【００６３】
第一の視線データと第二の視線データとを対比して表示するための手段は特に限定されない。画像ＩＭ１を表示出力する像提示部３０を用いて第一の視線データと第二の視線データを表示してもよく、または他のディスプレイ装置を用いて表示してもよい。
【００６４】
なお、本発明は上述の実施形態に限定されるものではなく、本発明の目的が達成される限りにおける種々の変形、改良等の態様も含む。
【００６５】
図６（ａ）は、遮蔽部１０の第一変形例を示す斜視図である。図６（ｂ）は、遮蔽部１０の第二変形例を示す斜視図である。
【００６６】
第一変形例の遮蔽部１０は、ドーム状（半球状）の天板１１と、円盤状の底板１５とで構成されている。天板１１の周囲には円孔状の一対の差込口１２が形成されている。底板１５の中心を通り、一対の差込口１２を隔てる中心線Ｃを一点鎖線で仮想的に図示してある。天板１１は半透明または不透明の材料からなり、天板１１を通じて内部の評価対象物ＰＤ（図６（ａ）では図示省略）を視認することは実質的に遮られている。
【００６７】
第二変形例の遮蔽部１０は、半割円筒状の天板１１を伏臥配置してなる。半割円筒の両端の開口が差込口１２にあたる。この差込口１２から手Ｈおよび評価対象物ＰＤを出し入れする。天板１１は半透明または不透明であり、被験者Ｓから評価対象物ＰＤへの視線を遮る。本変形例の遮蔽部１０は、天板１１の半割の円筒面の内側を評価対象物ＰＤのハンドリング用の空間として用いるものである。半割円筒の軸方向に直交し、かつ一対の差込口１２を隔てる中心線Ｃを一点鎖線で仮想的に図示してある。
【００６８】
これらの変形例にかかる遮蔽部１０もまた、その中心線Ｃが像提示部３０の略中央を向くようにして配置される。これにより、差込口１２に手Ｈを差し入れて評価対象物ＰＤをハンドリングする被験者Ｓが自然に像提示部３０に対して正対することとなる。
【００６９】
上記実施形態では動作部位として手Ｈを例示したが、本発明はこれに限られない。たとえば動作部位を足とし、評価対象物ＰＤを靴や靴下としてもよい。この場合、被験者が足や靴や靴下を直視する視線を遮りつつ、足に装着した靴や靴下の感触を足の肌の触感を通じて被験者は評価することができる。
【００７０】
また、上記各実施形態では、評価対象物ＰＤの画像ＩＭを画像処理するなどして、評価対象物ＰＤの視覚的な因子を変化させることを例示したが、本発明はこれに限られない。すなわち上記実施形態に代えて、または上記実施形態と組みあわせて、被験者Ｓによりハンドリングされている評価対象物ＰＤの触覚的な因子を変化させてもよい。たとえば、遮蔽部１０の内部における磁場や気流等の物理条件を変化させて評価対象物ＰＤを重力方向に付勢して、被験者Ｓが受ける評価対象物ＰＤの重量を仮想的に増大させてもよい。具体的には、評価対象物ＰＤの一部または全部を磁性材料で作成し、遮蔽部１０の底板１５に配置した電磁石によって評価対象物ＰＤを吸引するとよい。これにより、評価対象物ＰＤの実際の質量を変えることなく、評価対象物ＰＤの質量を仮想的に増大させた場合の被験者Ｓの視線方向ＬＯＶの変化をシミュレートしたり、評価対象物ＰＤの質量と情緒価値との相関関係を分析したりすることが容易に行われる。本発明者らの検討によれば、評価対象物ＰＤが化粧品の容器である場合、評価対象物ＰＤの質量と高級感とが正の相関を持つことが確認されている。
【００７１】
以下、本発明の像提示装置の使用方法（本発明の方法）について説明する。
【００７２】
（使用方法１）
図４に示した第二実施形態の像提示装置１００を用いて、評価対象物ＰＤの情緒価値の評価実験を行った。評価対象物ＰＤには、ファンデーションのコンパクトケース（以下、コンパクト）を用いた。画像処理部４４による画像処理は行わず、像取得部２０（Ｗｅｂカメラ）で取得したフルカラーの動画像（画像ＩＭ）を像提示部３０（ディスプレイ装置）で表示して被験者Ｓに提示した。
【００７３】
ａからｆの６種の異なるコンパクトについて、（評価試験１）静止画の目視、（評価試験２）実物の直視および触診、（評価試験３）本発明を用いた動画像の目視および触診、を行った。被験者はＡからＣの３人とした。
【００７４】
評価試験１から３の結果として、ａからｆのコンパクトに「高価と感じる順位」を付与する回答を得た。回答結果の一覧を図７に示す。実物の直視および触診に基づく評価試験２を正として、ケンドール順位相関係数（τ）に基づいて評価試験１および評価試験３の結果を判定した。ケンドール順位相関係数（τ）は、２つの順位列の間の相関の強さを−１（完全不一致）から＋１（完全一致）の間の数字で表す係数である。
【００７５】
ＡからＣの３人の被験者の平均のケンドール順位相関係数は、評価試験１：τ＝０．３８、そして評価試験３：τ＝０．８２となった。これにより、評価試験３（本発明の方法）では、評価試験１（静止画）に比べて評価対象物ＰＤの情緒価値が正確に評価されていることが分かった。また、評価試験３（本発明の方法）のケンドール順位相関係数がきわめて高いことから、像提示装置１００を用いて行う評価対象物ＰＤの評価が、実物を目視および触診して行う評価とほぼ同等の正確性であることが分かった。
【００７６】
（使用方法２）
第二実施形態の像提示装置１００を用いて被験者Ｓの視線データＶＰを取得した。図８〜図１０は、視線データＶＰを評価対象物ＰＤの画像ＩＭに重畳して表示した場合の像提示部３０の表示画面を示す図である。視線データＶＰは、被験者Ｓの視線方向ＬＯＶが集中している領域を表している。
【００７７】
具体的には、図８は評価対象物ＰＤのフック近傍を被験者Ｓが注視している状態の視線データＶＰを示す図である。図９は、評価対象物ＰＤの側面近傍を被験者Ｓが注視している状態の視線データＶＰを示す図である。図１０は、評価対象物ＰＤのロゴマークを被験者Ｓが注視している状態の視線データＶＰを示す図である。
【００７８】
視線取得部６０を備える第二実施形態の像提示装置１００によれば、被験者Ｓが評価対象物ＰＤ（コンパクト）を目視する様子を経時的なデータとして記録することができる。具体的には、図８〜図１０に示すように、凹凸のあるフックの部分を観察している様子や、側面を目視して評価対象物ＰＤの厚みを観察している様子、さらにロゴマークを注視している様子などを動画で記録することができる。これにより、被験者Ｓがコンパクトの外郭線を特に注視していることが把握できる。そして、本実施形態の像提示装置１００によれば、評価対象物ＰＤに施したデザインに被験者Ｓが注視しているか否か、等のデータを動画像として記録することが可能であるため、評価対象物ＰＤのデザイン開発に特に有効に用いることができる。
【００７９】
上記実施形態は、以下の技術思想を包含するものである。
（１）被験者の動作部位の動作または被験者が前記動作部位で取り扱う評価対象物を前記被験者に提示する装置であって、前記動作部位を直視する前記被験者の視線を遮る遮蔽部と、前記動作部位または前記評価対象物の像を取得する像取得部と、前記像を前記被験者に提示する像提示部と、を備え、前記像提示部で提示される前記像を前記被験者が目視しながら動作させる前記動作部位の像、または前記像を前記被験者が目視しながら前記動作部位で取り扱う前記評価対象物の像を、前記像取得部が更に取得して前記像提示部で提示することを特徴とする像提示装置；
（２）前記像取得部が前記動作部位の画像を動画像として撮像するカメラであり、前記像提示部が前記画像を表示するディスプレイ装置である上記（１）に記載の像提示装置；
（３）前記像取得部が撮像した画像の見た目を変化させる画像処理を行う画像処理部を更に備え、前記像提示部は前記画像処理部で画像処理された前記画像を表示することを特徴とする上記（２）に記載の像提示装置；
（４）前記画像処理が、グレースケール処理または白黒化処理を含む彩度低減処理、低コントラスト処理を含む輝度低減処理、または、ぼかし処理のいずれか一以上である上記（３）に記載の像提示装置；
（５）前記像提示部で表示される前記画像を目視する前記被験者の視線方向に関する視線データを経時的に取得する視線取得部と、前記画像と前記視線データとを対応づけて保存する蓄積部と、を更に備える上記（２）から（４）のいずれかに記載の像提示装置；
（６）前記遮蔽部、前記像取得部の視野領域および前記像提示部が略直線上に配置されている上記（２）から（５）のいずれかに記載の像提示装置；
（７）前記遮蔽部が半透明または不透明の容器であり、前記遮蔽部には、前記動作部位を差し込む一対の差込口が前記直線の両側に設けられている上記（６）に記載の像提示装置；
（８）前記像取得部は、前記被験者が前記動作部位を直視したときの視野角と、前記遮蔽部に臨んだ前記被験者が前記ディスプレイ装置に表示された前記画像における前記動作部位を目視したときの視野角と、が同等となるように前記画像を表示する上記（６）または（７）に記載の像提示装置；
（９）被験者の動作部位の動作または被験者が前記動作部位で取り扱う評価対象物を前記被験者に提示する方法であって、前記動作部位を直視する前記被験者の視線を遮った状態で前記動作部位または前記評価対象物の像を取得し、取得した前記像を前記被験者に提示し、提示される前記像を前記被験者が目視しながら動作させる前記動作部位の像、または前記像を前記被験者が目視しながら前記動作部位で取り扱う前記評価対象物の像を、更に取得して前記被験者に提示することを特徴とする像提示方法；
（１０）前記動作部位の像を画像として取得し、提示される前記画像を目視する前記被験者の視線方向に関する視線データを経時的に取得し、前記画像と前記視線データとを対応づけて保存することを特徴とする上記（９）に記載の像提示方法；
（１１）上記（１０）に記載の像提示方法を用いた視線解析方法であって、前記画像を目視する前記被験者の第一の前記視線データを取得し、前記画像の見た目を変化させて前記被験者に提示し、変化後の前記画像を目視する前記被験者の第二の前記視線データを取得し、前記第一の視線データと前記第二の視線データとを対比して表示することを特徴とする視線解析方法。
【符号の説明】
【００８０】
１０：遮蔽部、１１：天板、１２：差込口、１３：前面板、１４：側板、１５：底板、１６：開口、１７：閉止片、２０：像取得部、３０：像提示部、４０：表示制御部、４２：同期部、４４：画像処理部、５０：蓄積部、６０：視線取得部、７０：配線、１００：像提示装置、Ｆ：手元部、Ｈ：手、ＩＭ：画像、ＰＤ：評価対象物、Ｓ：被験者、ＶＰ：視線データ
【図１】
0005689388.tif 000002
【図２】
0005689388.tif 000003
【図３】
0005689388.tif 000004
【図４】
0005689388.tif 000005
【図５】
0005689388.tif 000006
【図６】
0005689388.tif 000007
【図７】
0005689388.tif 000008
【図８】
0005689388.tif 000009
【図９】
0005689388.tif 000010
【図１０】
0005689388.tif 000011